(57)【要約】    【課題】  製造コストを高くすることなく、結像品質を向上させることができる光学装置の取付方法を提供する。    【解決手段】  複数の色光をそれぞれ変調して形成した画像を合成する光学装置５２０と、この光学装置５２０によって合成された画像を投写する投写レンズ６００と、これら光学装置５２０と投写レンズ６００とが取り付けられた光学部品取付用筐体１０とを備えたプロジェクタを組み立てるために、投写レンズ６００が予め取り付けられた光学部品取付用筐体１０に光学装置５２０を取り付ける光学装置の取付方法であって、  光学装置５２０を光学部品取付用筐体１０の取付面上に保持した後、光学装置５２０を光学部品取付用筐体１０の取付面内で回動させて位置調整する位置調整工程を含むことを特徴とする光学装置の取付方法。【選択図】  図３
2005128489.tif 000002
【特許請求の範囲】
【請求項１】
複数の色光をそれぞれ変調して形成した画像を合成する光学装置と、この光学装置によって合成された画像を投写する投写レンズと、これら光学装置と投写レンズとが取り付けられた光学部品取付用筐体とを備えたプロジェクタを組み立てるために、前記投写レンズが予め取り付けられた前記光学部品取付用筐体に前記光学装置を取り付ける光学装置の取付方法であって、
前記光学装置を前記光学部品取付用筐体の取付面上に保持した後、前記光学装置を前記光学部品取付用筐体の取付面内で回動させて位置調整する位置調整工程を含むことを特徴とする光学装置の取付方法。
【請求項２】
請求項１に記載の光学装置の取付方法において、
前記位置調整工程は、前記光学装置と前記光学部品取付用筐体との間に位置調整装置を介在させ、この位置調整装置を用いて前記光学装置を前記光学部品取付用筐体の取付面内で回動させて位置調整することを特徴とする光学装置の取付方法。
【請求項３】
請求項２に記載の光学装置の取付方法に用いるための位置調整装置であって、
前記光学装置に取り付けられる光学装置取付部材と、この光学装置取付部材と前記光学部品取付用筐体との間に介在させる位置調整部材とを有し、
前記光学装置取付部材は、この光学装置取付部材を光学部品取付用筐体に取り付けるための取付用貫通孔及び前記光学装置を位置調整するための位置調整用貫通孔を有し、
前記位置調整部材は、偏心ピン又は偏心孔を有する回動中心部及びこの回動中心部に連接する操作部材を有することを特徴とする位置調整装置。
【請求項４】
請求項３に記載の位置調整装置において、
前記位置調整用貫通孔のうち少なくとも１つは長孔であることを特徴とする位置調整装置。
【請求項５】
請求項３に記載の位置調整装置において、
前記操作部材には、前記回動中心部を中心とする円周の一部に沿う長孔が設けられ、
前記長孔に挿通する位置調整部材抜け止め用のビスが前記位置調整部材の使用状態において前記光学部品取付用筐体に螺着されるよう構成されていることを特徴とする位置調整装置。
【請求項６】
請求項５に記載の位置調整装置において、
前記操作部材の端縁には、前記回動中心部を中心とする円周の一部に沿うギヤ部が設けられていることを特徴とする位置調整装置。
【請求項７】
複数の色光をそれぞれ変調して形成した画像を合成する光学装置と、この光学装置によって合成された画像を投写する投写レンズと、これら光学装置と投写レンズとが取り付けられた光学部品取付用筐体とを備えたプロジェクタを組み立てるために、前記光学装置が予め取り付けられた前記光学部品取付用筐体に前記投写レンズを取り付ける投写レンズの取付方法であって、
前記投写レンズを前記光学部品取付用筐体に保持した後、前記投写レンズを前記光学装置の光射出面と直角な２つの面のうち少なくとも一の面内で回動させて位置調整する位置調整工程を含むことを特徴とする投写レンズの取付方法。
【請求項８】
請求項７に記載の投写レンズの取付方法において、
前記位置調整工程は、前記投写レンズと前記光学部品取付用筐体との間に位置調整装置を介在させ、この位置調整装置を用いて前記投写レンズを前記光学装置の光射出面と直角な２つの面のうち少なくとも一の面内で回動させて位置調整することを特徴とする投写レンズの取付方法。
【請求項９】
請求項７に記載の投写レンズの取付方法において、
前記位置調整工程は、前記投写レンズと前記光学部品取付用筐体との間に縦方向用の位置調整装置及び横方向用の位置調整装置を介在させ、これら２つの位置調整装置を用いて前記投写レンズを前記光学装置の光射出面と直角な２つの面内で回動させて位置調整することを特徴とする投写レンズの取付方法。
【請求項１０】
請求項８又は９に記載の投写レンズの取付方法に用いる位置調整装置であって、
前記投写レンズに取り付けられる投写レンズ取付部材と、この投写レンズ取付部材と前記光学部品取付用筐体との間に介在させる位置調整部材とを有し、
前記投写レンズ取付部材は、この投写レンズ取付部材を光学部品取付用筐体に取り付けるための取付用貫通孔及び前記投写レンズを位置調整するための位置調整用貫通孔を有し、
前記位置調整部材は、偏心ピン又は偏心孔を有する回動中心部及びこの回動中心部に連接する操作部材を有することを特徴とする位置調整装置。
【請求項１１】
請求項１０に記載の位置調整装置において、
前記操作部材には、前記回動中心部を中心とする円周の一部に沿う長孔が設けられ、
前記長孔に挿通する位置調整部材抜け止め用のビスが前記位置調整部材の使用状態において前記光学部品取付用筐体に螺着されるよう構成されていることを特徴とする位置調整装置。
【請求項１２】
請求項１１に記載の位置調整装置において、
前記操作部材の端縁には、前記回動中心部を中心とする円周の一部に沿うギヤ部が設けられていることを特徴とする位置調整装置。
【請求項１３】
照明光を射出する照明装置と、この照明装置から射出された照明光を複数の色光に分離する色分離光学系と、この色分離光学系によって分離された各色光をそれぞれ変調して形成した画像を合成する光学装置と、この光学装置によって合成された画像を投写する投写レンズと、少なくとも前記光学装置及び前記投写レンズが取り付けられた光学部品取付用筐体とを備えたプロジェクタにおいて、
前記光学装置は、請求項１又は２に記載の光学装置の取付方法を用いて前記光学部品取付用筐体に取り付けられていることを特徴とするプロジェクタ。
【請求項１４】
照明光を射出する照明装置と、この照明装置から射出された照明光を複数の色光に分離する色分離光学系と、この色分離光学系によって分離された各色光をそれぞれ変調して形成した画像を合成する光学装置と、この光学装置によって合成された画像を投写する投写レンズと、少なくとも前記光学装置及び前記投写レンズが取り付けられた光学部品取付用筐体とを備えたプロジェクタにおいて、
前記投写レンズは、請求項７〜９のいずれかに記載の投写レンズの取付方法を用いて前記光学部品取付用筐体に取り付けられていることを特徴とするプロジェクタ。
【発明の詳細な説明】
【技術分野】
【０００１】
本発明は、光学装置の取付方法、投写レンズの取付方法、位置調整装置及びプロジェクタに関する。
【背景技術】
【０００２】
プロジェクタには、電気光学変調装置としての複数の液晶装置及び色合成光学系としてのクロスダイクロイックプリズムを有する光学装置を備えたものが知られている。
【０００３】
このようなプロジェクタにおける光学装置の組み立ては、クロスダイクロイックプリズムの各光入射面に対して液晶装置を取り付けることにより行われる。その際、専用の照明装置及び投写レンズを備えたフォーカス・アライメント装置を用いて、フォーカス調整及びアライメント調整を行いながら液晶装置を取り付けることにより、クロスダイクロイックプリズムの各光入射面に対して各液晶装置を精度良く取り付けることができる（例えば、特許文献１参照。）。
なお、この明細書におけるフォーカス調整とは、各液晶装置を投写レンズのバックフォーカスの位置に合わせるための位置調整のことであり、照明光軸に沿った方向における液晶装置の位置調整及び照明光軸に垂直な２軸の回りの回転方向に沿った液晶装置の位置調整を含む。また、この明細書におけるアライメント調整とは、複数の液晶装置同士の画素位置を合わせるための位置調整のことであり、照明光軸に垂直な２軸に沿った方向における液晶装置の位置調整及び照明光軸の回りの回転方向に沿った液晶装置の位置調整を含む。
【０００４】
その後、クロスダイクロイックプリズムに対して各液晶装置が精度良く取り付けられた光学装置を、照明装置から投写レンズに至る光路を内部に有する光学部品取付用筐体に取り付けることにより、プロジェクタが組み立てられる。
【特許文献１】特開２０００−２２１５８７号公報（図１１及び図１７）
【発明の開示】
【発明が解決しようとする課題】
【０００５】
ところで、上記した光学装置を光学部品取付用筐体に取り付ける場合、これらの寸法にばらつきがあると組立寸法にばらつきが発生し、クロスダイクロイックプリズムに対して各液晶装置が精度良く取り付けられた光学装置を用いても、液晶装置の画像形成領域が投写レンズの光軸に対して正確に垂直に配置されないことに起因して投写画像が歪む現象、いわゆる像面倒れが発生し、結像品質が低下してしまうという問題があった。
そこで、光学装置及び光学部品取付用筐体の寸法精度を高めることにより、組立寸法のばらつき発生を防止して結像品質を向上させることが考えられるが、この場合には製造コストが嵩むという問題があった。
【０００６】
本発明は、このような問題を解決するためになされたもので、製造コストを高くすることなく結像品質を向上させることができる光学装置の取付方法、投写レンズの取付方法、位置調整装置及びプロジェクタを提供することを目的とする。
【課題を解決するための手段】
【０００７】
本発明の光学装置の取付方法は、複数の色光をそれぞれ変調して形成した画像を合成する光学装置と、この光学装置によって合成された画像を投写する投写レンズと、これら光学装置と投写レンズとが取り付けられた光学部品取付用筐体とを備えたプロジェクタを組み立てるために、前記投写レンズが予め取り付けられた前記光学部品取付用筐体に前記光学装置を取り付ける光学装置の取付方法であって、前記光学装置を前記光学部品取付用筐体の取付面上に保持した後、前記光学装置を前記光学部品取付用筐体の取付面内で回動させて位置調整する位置調整工程を含むことを特徴とする。
【０００８】
このため、本発明の光学装置の取付方法によれば、光学装置を光学部品取付用筐体の取付面上に保持した後、さらに光学装置を光学部品取付用筐体の取付面内で回動させて位置調整した後に、光学装置を光学部品取付用筐体に取り付けることができるため、光学装置及び光学部品取付用筐体における寸法上のばらつきを吸収することができる。その結果、投写レンズ、光学装置、又は光学部品取付用筐体の寸法ばらつきなどに起因して発生する像面倒れを抑制して結像品質を向上させることができるようになる。
また、本発明の光学装置の取付方法によれば、光学装置及び光学部品取付用筐体における寸法上のばらつきを吸収することができるため、これら光学装置及び光学部品取付用筐体の寸法精度を緩和することができ、製造コストの低廉化を図ることもできるようになる。
このため、本発明の光学装置の取付方法は、製造コストを高くすることなく結像品質を向上させることができる光学装置の取付方法となる。
【０００９】
なお、本発明の光学装置の取付方法においては、光学装置を取り付ける光学部品取付用筐体には、予め照明装置、色分離光学系、リレー光学系、投写レンズなどの光学装置以外の光学部品が取り付けられている状態で、光学装置を位置調整することが好ましい。これにより、プロジェクタ実機において像面倒れを直接抑制することができ、プロジェクタ実機における良好な結像品質向上効果が得られる。
【００１０】
本発明の光学装置の取付方法においては、前記位置調整工程は、前記光学装置と前記光学部品取付用筐体との間に位置調整装置を介在させ、この位置調整装置を用いて前記光学装置を前記光学部品取付用筐体の取付面内で回動させて位置調整することが好ましい。
このような方法とすることにより、光学装置と光学部品取付用筐体との間に位置調整装置を介在させ、この位置調整装置を用いて光学装置を取付面内で回動させることにより光学装置の位置調整を行うため、光学装置の位置調整を容易に、かつ、確実に行うことができるようになる。
【００１１】
本発明の位置調整装置は、上記した光学装置の取付方法に用いるための位置調整装置であって、前記光学装置に取り付けられる光学装置取付部材と、この光学装置取付部材と前記光学部品取付用筐体との間に介在させる位置調整部材とを有し、前記光学装置取付部材は、この光学装置取付部材を光学部品取付用筐体に取り付けるための取付用貫通孔及び前記光学装置を位置調整するための位置調整用貫通孔を有し、前記位置調整部材は、偏心ピン又は偏心孔を有する回動中心部及びこの回動中心部に連接する操作部材を有することを特徴とする。
【００１２】
このため、本発明の位置調整装置によれば、光学装置取付部材の位置調整用貫通孔及び位置調整部材を用いて光学部品取付用筐体に対する光学装置の位置調整を行うことができるため、光学装置を光学部品取付用筐体の取付面上に保持した後、光学装置を光学部品取付用筐体の取付面内で回動させて位置調整することが容易にできるようになり、光学装置及び光学部品取付用筐体における寸法上のばらつきを容易に吸収することができるようになる。
また、本発明の位置調整装置によれば、光学装置取付部材の取付用貫通孔を用いて光学部品取付用筐体に対する光学装置の取り付けを行うことができるようになるため、結像品質の向上したプロジェクタを安定して製造することができるようになる。
【００１３】
本発明の位置調整装置においては、前記位置調整用貫通孔のうち少なくとも１つは長孔であることが好ましい。
このように構成することにより、光学装置の位置調整を行う際に位置調整部材による位置調整を円滑に行うことができるようになる。
【００１４】
また、本発明の位置調整装置においては、前記操作部材には、前記回動中心部を中心とする円周の一部に沿う長孔が設けられ、前記長孔に挿通する位置調整部材抜け止め用のビスが前記位置調整部材の使用状態において前記光学部品取付用筐体に螺着されるよう構成されていることが好ましい。
このように構成することにより、光学装置の位置調整時又は位置調整後に光学部品取付用筐体から位置調整部材が離脱してしまうのを容易に防止できるようになる。
【００１５】
また、本発明の位置調整装置においては、前記操作部材の端縁には、前記回動中心部を中心とする円周の一部に沿うギヤ部が設けられていることが好ましい。
このように構成することにより、光学装置の位置調整を円滑に行うことができる。この場合、ギヤ部に減速機構を介してモータ等の駆動装置を連結することにより、スクリーン上に投影される調整用画像を撮像素子で撮影し、この撮像素子による撮影結果に基づいてモータ等の駆動装置を駆動させることにより、光学装置の自動位置調整を可能にすることもできる。
【００１６】
本発明の投写レンズの取付方法は、複数の色光をそれぞれ変調して形成した画像を合成する光学装置と、この光学装置によって合成された画像を投写する投写レンズと、これら光学装置と投写レンズとが取り付けられた光学部品取付用筐体とを備えたプロジェクタを組み立てるために、前記光学装置が予め取り付けられた前記光学部品取付用筐体に前記投写レンズを取り付ける投写レンズの取付方法であって、前記投写レンズを前記光学部品取付用筐体に保持した後、前記投写レンズを前記光学装置の光射出面と直角な２つの面のうち少なくとも一の面内で回動させて位置調整する位置調整工程を含むことを特徴とする。
【００１７】
このため、本発明の投写レンズの取付方法によれば、投写レンズを光学部品取付用筐体に保持した後、さらに投写レンズを光学装置の光射出面と直角な２つの面のうち少なくとも一の面内で回動させて位置調整した後に、投写レンズを光学部品取付用筐体に取り付けることができるため、少なくとも一の面内においては投写レンズ及び光学部品取付用筐体における寸法上のばらつきを吸収することができる。その結果、投写レンズ、光学装置、又は光学部品取付用筐体の寸法ばらつきなどに起因して発生する像面倒れを抑制して結像品質を向上させることができるようになる。
また、本発明の投写レンズの取付方法によれば、少なくとも一の面内においては投写レンズ及び光学部品取付用筐体における寸法上のばらつきを吸収することができるため、これら投写レンズ及び光学部品取付用筐体の寸法精度を緩和することができ、製造コストの低廉化を図ることもできるようになる。
このため、本発明の投写レンズの取付方法は、製造コストを高くすることなく結像品質を向上させることができる投写レンズの取付方法となる。
【００１８】
なお、本発明の投写レンズの取付方法においては、投写レンズを取り付ける光学部品取付用筐体には、予め照明装置、色分離光学系、リレー光学系、光学装置などの投写レンズ以外の光学部品が取り付けられている状態で、投写レンズを位置調整することが好ましい。これにより、プロジェクタ実機において像面倒れを直接抑制することができ、プロジェクタ実機における良好な結像品質向上効果が得られる。
【００１９】
本発明の投写レンズの取付方法においては、前記位置調整工程は、前記投写レンズと前記光学部品取付用筐体との間に位置調整装置を介在させ、この位置調整装置を用いて前記投写レンズを前記光学装置の光射出面と直角な２つの面のうち少なくとも一の面内で回動させて位置調整することが好ましい。
このような方法とすることにより、投写レンズと光学部品取付用筐体との間に位置調整装置を介在させ、この位置調整装置を用いて投写レンズを回動させることにより、光学装置の光射出面と直角な２つの面のうち少なくとも一の面内では投写レンズの位置調整を行うため、投写レンズの位置調整を容易に、かつ、確実に行うことができるようになる。
【００２０】
本発明の投写レンズの取付方法においては、前記位置調整工程は、前記投写レンズと前記光学部品取付用筐体との間に縦方向用の位置調整装置及び横方向用の位置調整装置を介在させ、これら２つの位置調整装置を用いて前記投写レンズを前記光学装置の光射出面と直角な２つの面内で回動させて位置調整することも好ましい。
このような方法とすることにより、投写レンズと光学部品取付用筐体との間に縦方向用の位置調整装置及び横方向用の位置調整装置を介在させ、これら２つの位置調整装置を用いて投写レンズを回動させることにより、光学装置の光射出面と直角な２つの面内で投写レンズの位置調整を行うため、投写レンズの位置調整を容易に、かつ、確実に行うことができるようになる。
また、投写レンズの位置調整を光学装置の光射出面と直角な２つの面内で行うことができることから、結像品質をより一層向上させることができるという効果もある。
【００２１】
本発明の位置調整装置は、上記した投写レンズの取付方法に用いる位置調整装置であって、前記投写レンズに取り付けられる投写レンズ取付部材と、この投写レンズ取付部材と前記光学部品取付用筐体との間に介在させる位置調整部材とを有し、前記投写レンズ取付部材は、この投写レンズ取付部材を光学部品取付用筐体に取り付けるための取付用貫通孔及び前記投写レンズを位置調整するための位置調整用貫通孔を有し、前記位置調整部材は、偏心ピン又は偏心孔を有する回動中心部及びこの回動中心部に連接する操作部材を有することを特徴とする。
【００２２】
このため、本発明の位置調整装置によれば、投写レンズ取付部材の位置調整用貫通孔及び位置調整部材を用いて光学部品取付用筐体に対する投写レンズの位置調整を行うことができるため、投写レンズを光学部品取付用筐体に保持した後、光学装置を回動させて位置調整することが容易にできるようになり、この投写レンズ及び光学部品取付用筐体における寸法上のばらつきを容易に吸収することができるようになる。
また、本発明の位置調整装置によれば、取付用貫通孔を用いて光学部品取付用筐体に対する投写レンズの取り付けを行うことができるようになるため、結像品質の向上したプロジェクタを安定して製造することができるようになる。
【００２３】
本発明の位置調整装置においては、前記操作部材には、前記回動中心部を中心とする円周の一部に沿う長孔が設けられ、前記長孔に挿通する位置調整部材抜け止め用のビスが前記位置調整部材の使用状態において前記光学部品取付用筐体に螺着されるよう構成されていることが好ましい。
このように構成することにより、投写レンズの位置調整時又は位置調整後に光学部品取付用筐体から位置調整部材が離脱してしまうのを容易に防止できるようになる。
【００２４】
また、本発明の位置調整装置においては、前記操作部材の端縁には、前記回動中心部を中心とする円周の一部に沿うギヤ部が設けられていることが好ましい。
このように構成することにより、投写レンズの位置調整を円滑に行うことができるようになる。この場合、ギヤ部に減速機構を介してモータ等の駆動装置を連結することにより、スクリーン上に投影される調整用画像を撮像素子で撮影し、この撮影結果に基づいてモータ等の駆動装置を駆動させることにより、投写レンズの自動位置調整を可能にすることもできる。
【００２５】
本発明のプロジェクタは、照明光を射出する照明装置と、この照明装置から射出された照明光を複数の色光に分離する色分離光学系と、この色分離光学系によって分離された各色光をそれぞれ変調して形成した画像を合成する光学装置と、この光学装置によって合成された画像を投写する投写レンズと、少なくとも前記光学装置及び前記投写レンズが取り付けられた光学部品取付用筐体とを備えたプロジェクタにおいて、前記光学装置は、本発明の光学装置の取付方法を用いて前記光学部品取付用筐体に取り付けられていることを特徴とする。
【００２６】
このため、本発明のプロジェクタは、上記した本発明の光学装置の取付方法によって光学部品取付用筐体に精度良く取り付けられた光学装置を備えているため、像面倒れの抑制された結像品質の向上したプロジェクタとなる。
また、本発明のプロジェクタは、寸法精度の緩和された光学装置及び光学部品取付用筐体を用いて組み立てられているため、製造コストの低廉化を図ることのできるプロジェクタとなる。
【００２７】
本発明のプロジェクタは、照明光を射出する照明装置と、この照明装置から射出された照明光を複数の色光に分離する色分離光学系と、この色分離光学系によって分離された各色光をそれぞれ変調して形成した画像を合成する光学装置と、この光学装置によって合成された画像を投写する投写レンズと、少なくとも前記光学装置及び前記投写レンズが取り付けられた光学部品取付用筐体とを備えたプロジェクタにおいて、前記投写レンズは、本発明の投写レンズの取付方法を用いて前記光学部品取付用筐体に取り付けられていることを特徴とする。
【００２８】
このため、本発明のプロジェクタによれば、上記した本発明の投写レンズの取付方法によって光学部品取付用筐体に精度良く取り付けられた投写レンズを備えているため、像面倒れの抑制された結像品質の向上したプロジェクタとなる。
また、本発明のプロジェクタは、寸法精度の緩和された投写レンズ及び光学部品取付用筐体を用いて組み立てられているため、製造コストの低廉化を図ることのできるプロジェクタとなる。
【発明を実施するための最良の形態】
【００２９】
以下、本発明の光学装置の取付方法、投写レンズの取付方法、位置調整装置及びプロジェクタについて、図に示す実施の形態に基づいて説明する。
【００３０】
〔実施形態１〕
まず、実施形態１に係るプロジェクタについて、図１を用いて説明する。図１は、実施形態１に係るプロジェクタの光学系を示す図である。なお、以下の説明においては、互いに直交する３つの方向をそれぞれｚ方向（図１における照明光軸方向）、ｘ方向（図１における紙面に平行かつｚ軸に直交する方向）及びｙ方向（図１における紙面に垂直かつｚ軸に直交する方向）とする。
【００３１】
実施形態１に係るプロジェクタ１は、図１に示すように、照明装置１００と、色分離光学系２００と、リレー光学系３００と、電気光学変調装置としての３つの液晶装置４００Ｒ，４００Ｇ，４００Ｂと、クロスダイクロイックプリズム５００と、投写レンズ６００と、光学部品取付用筐体１０（図２参照。）とを備えている。各構成要素は、クロスダイクロイックプリズム５００を中心に略水平方向に配置されている。
【００３２】
照明装置１００は、光源ランプ１１０と、平行化レンズ１１６と、第１レンズアレイ１２０と、第２レンズアレイ１３０と、偏光変換素子１４０と、重畳レンズ１５０とを有している。光源ランプ１１０から射出された照明光束は、平行化レンズ１１６によって略平行化され、第１レンズアレイ１２０によって複数の部分光束に分割される。この複数の部分光束は第２レンズアレイ１３０及び重畳レンズ１５０によって照明対象である３つの液晶装置４００Ｒ，４００Ｇ，４００Ｂの光入射面上で重畳される。
【００３３】
光源ランプ１１０は、発光管１１２及び楕円面リフレクタ１１４を備えている。発光管１１２は、その発光中心が楕円面リフレクタ１１４の一方の焦点に配置されている。楕円面リフレクタ１１４は、被照明領域側に開口し、発光管１１２の発光部後方に配置されている。そして、発光管１１２からの放射光を反射して被照明領域側に射出するように構成されている。
【００３４】
平行化レンズ１１６は、照明光軸１００ａｘと平行なレンズ光軸を有する凹レンズからなり、光源ランプ１１０の被照明領域側に配設されている。そして、楕円面リフレクタ１１４からの反射光を略平行化するように構成されている。
なお、楕円面リフレクタ１１４及び平行化レンズ１１６に代えて放物面リフレクタを用いることもできる。
【００３５】
第１レンズアレイ１２０及び第２レンズアレイ１３０は、小レンズをマトリクス状に配列して形成されている。
偏光変換素子１４０は、非偏光光を液晶装置４００Ｒ，４００Ｇ，４００Ｂで利用可能な偏光方向を有する偏光光に揃える機能を有している。
【００３６】
色分離光学系２００は、照明装置１００から射出される照明光束を、それぞれ異なる波長域の３色の照明光束に分離する機能を有している。第１のダイクロイックミラー２１０は、略青色の光束（以下「Ｂ光」という。）を反射するとともに、略緑色の光束（以下「Ｇ光」という。）及び略赤色の光束（以下「Ｒ光」という。）を透過させる。第１のダイクロイックミラー２１０で反射されたＢ光は、反射ミラー２３０でさらに反射され、フィールドレンズ２４０Ｂを透過してＢ光用の液晶装置４００Ｂを照明する。
【００３７】
フィールドレンズ２４０Ｂは、照明装置１００からの複数の部分光束がそれぞれＢ光用の液晶装置４００Ｂを照明するように集光する。通常、各部分光束が、それぞれ略平行な光束となるように設定されている。他の液晶装置４００Ｇ，４００Ｒの前に配設されたフィールドレンズ２４０Ｇ，３５０も、フィールドレンズ２４０Ｂと同様に構成されている。
【００３８】
第１のダイクロイックミラー２１０を透過したＧ光とＲ光のうちＧ光は、第２のダイクロイックミラー２２０によって反射され、フィールドレンズ２４０Ｇを透過してＧ光用の液晶装置４００Ｇを照明する。一方、Ｒ光は、第２のダイクロイックミラー２２０を透過し、リレー光学系３００を通過してＲ光用の液晶装置４００Ｒを照明する。
【００３９】
リレー光学系３００は、入射側レンズ３１０、入射側反射ミラー３２０、リレーレンズ３３０、射出側反射ミラー３４０及びフィールドレンズ３５０を有している。色分離光学系２００から射出されたＲ光は、入射側レンズ３１０によってリレーレンズ３３０の近傍で収束し、射出側反射ミラー３４０及びフィールドレンズ３５０に向かって発散する。フィールドレンズ３５０に入射する光束の大きさは、入射側レンズ３１０に入射する光束の大きさに略等しくなるように設定されている。
【００４０】
各色光用の液晶装置４００Ｒ，４００Ｇ，４００Ｂは、それぞれの光入射面に入射した色光を、それぞれに対応する画像信号に応じた光に変換し、これら変換された光を透過光として射出する。液晶装置４００Ｒ，４００Ｇ，４００Ｂの入射側には入射側偏光板９１８Ｒ，９１８Ｇ，９１８Ｂが、射出側には射出側偏光板９２０Ｒ，９２０Ｇ，９２０Ｂがそれぞれ配置されている。液晶装置４００Ｒ，４００Ｇ，４００Ｂとしては、透過型の液晶パネルが用いられる。
【００４１】
クロスダイクロイックプリズム５００は、液晶装置４００Ｒ，４００Ｇ，４００Ｂとともに光学装置５２０（図２参照。）を構成し、液晶装置４００Ｒ，４００Ｇ，４００Ｂから射出される各色光の変換光を合成する色合成光学系としての機能を有する。そして、Ｒ光を反射するＲ光反射ダイクロイック面５１０Ｒと、Ｂ光を反射するＢ光反射ダイクロイック面５１０Ｂとを有している。Ｒ光反射ダイクロイック面５１０Ｒ及びＢ光反射ダイクロイック面５１０Ｂは、Ｒ光を反射する誘電体多層膜とＢ光を反射する誘電体多層膜とを４つの直角プリズムの界面に略Ｘ字状に形成することにより設けられている。これら両反射ダイクロイック面５１０Ｒ，５１０Ｂによって３色の変換光が合成され、カラー画像を表示する光が生成される。クロスダイクロイックプリズム５００において生成された合成光は、投写光学系６００に向かって射出される。
【００４２】
投写レンズ６００は、クロスダイクロイックプリズム５００からの合成光を表示画像としてスクリーンなどの投写面上に投写するように構成されている。
【００４３】
次に、実施形態１に係る光学装置の取付方法及びこれに用いる位置調整装置について、図１〜図４を用いて説明する。図２は、実施形態１に係る光学装置の取付方法を説明するために示す図である。図３は、実施形態１に係る光学装置の取付方法を説明するために示す模式図である。図４は、実施形態１に係る光学装置の取付方法を説明するために示すフローチャートである。
【００４４】
なお、実施形態１に係る光学装置の取付方法における光学装置５２０の組み立ては、図２及び図３では簡略化してあるが、図１に示したクロスダイクロイックプリズム５００の各光入射面に対して液晶装置４００Ｒ，４００Ｇ，４００Ｂを取り付けることにより行われる。その際、専用の照明装置及び投写レンズを備えたフォーカス・アライメント装置を用いて、フォーカス調整及びアライメント調整を行いながら液晶装置４００Ｒ，４００Ｇ，４００Ｂを取り付けている。これにより、クロスダイクロイックプリズム５００の各光入射面に対して各液晶装置４００Ｒ，４００Ｇ，４００Ｂを精度良く取り付けることができる。
ここで、必要に応じて、液晶装置４００Ｒ，４００Ｇ，４００Ｂ以外の光学要素をクロスダイクロイックプリズム５００の各光入射面に取り付けても良い。そのような光学要素の例としては、入射側偏光板９１８Ｒ，９１８Ｇ，９１８Ｂ、射出側偏光板９２０Ｒ，９２０Ｇ，９２０Ｂの他、視野角補償板、位相差版などが挙げられる。
光学装置５２０や投写レンズ６００等を取り付けるための光学部品取付用筐体１０には、光学装置５２０を取り付けるにあたり、予め照明装置１００、色分離光学系２００、リレー光学系３００及び投写レンズ６００が取り付けられている。
【００４５】
実施形態１に係る位置調整装置７００は、図２に示すように、光学装置５２０に取り付けられる光学装置取付部材７１０と、この光学装置取付部材７１０と光学部品取付用筐体１０との間に介在させる位置調整部材７５０とを有している。
光学装置取付部材７１０は、この光学装置取付部材７１０を光学部品取付用筐体１０に取り付けるための取付用貫通孔７１２，７１６及び光学装置５２０を位置調整するための位置調整用貫通孔７１４，７１８を有している。
位置調整部材７５０は、偏心ピン７６４を有する回動中心部７６０及びこの回動中心部７６０にアーム７８０を介して連接する操作部材７７０を有している。
【００４６】
このため、実施形態１に係る位置調整装置７００によれば、光学装置取付部材７１０の位置調整用貫通孔７１４，７１８及び位置調整部材７５０を用いて光学部品取付用筐体１０に対する光学装置５２０の位置調整を行うことができるため、光学装置５２０を光学部品取付用筐体１０の取付面１２上に保持した後、光学装置５２０を光学部品取付用筐体１０の取付面１２内で回動させて位置調整することが容易にできるようになり、光学装置５２０及び光学部品取付用筐体１０における寸法上のばらつきを容易に吸収することができるようになる。
また、実施形態１に係る位置調整装置７００によれば、光学装置取付部材７１０の取付用貫通孔７１２，７１６を用いて光学部品取付用筐体１０に対する光学装置５２０の取り付けを行うことができるようになるため、結像品質の向上したプロジェクタを安定して製造することができるようになる。
【００４７】
実施形態１に係る光学装置の取付方法は、図４に示すように、「光学装置の保持工程」、「光学装置の位置調整工程」及び「光学装置の固定工程」が順次実施されるため、これらの各工程を順次説明する。
【００４８】
１．光学装置の保持工程
まず、光学部品取付用筐体１０に設けられたピン２４に位置調整部材７５０のピン孔７６２を嵌合させる。そして、光学装置取付部材７１０の位置調整用貫通孔７１４に位置調整部材７５０の偏心ピン７６４を挿通させ、位置調整用貫通孔７１８に光学部品取付用筐体１０に設けられたピン２８を挿通させる。なお、位置調整用貫通孔７１４は、図２に示すように、長孔である。
その後、光学装置取付部材７１０に設けられた貫通孔のうち取付用貫通孔７１２，７１４の中心軸を光学部品取付用筐体１０に設けられたねじ孔２２，２６（ねじ孔２６は図示せず。）に凡そ合わせた状態でねじ７２２，７２６により軽くねじ締めする。
これによって、光学装置取付部材７１０と光学部品取付用筐体１０との間に位置調整部材７５０を介在させた状態で、光学部品取付用筐体１０の取付面１２上に光学装置５２０が保持される（図４のステップＳ１）。
【００４９】
２．光学装置の位置調整工程
次に、プロジェクタの電源を入れ、照明装置１００からの光を液晶装置４００Ｒ，４００Ｇ，４００Ｂに照射するとともに、この液晶装置４００Ｒ，４００Ｇ，４００Ｂにより形成された調整用画像を投写レンズ６００でスクリーン上に投影する。
そして、図３に示すように、位置調整部材７５０を用いて、光学部品取付用筐体１０の取付面１２内で光学装置５２０を回動させて光学装置５２０の位置調整を実行する（図４のステップＳ２）。回動調整量としては、例えば、±３μｍ〜±３０μｍ程度である。
【００５０】
この場合、図３に矢印Ｍで示す方向に沿って操作部材７７０をピン２４の回りに回動操作すると、この回動操作方向と同一の方向に回動中心部７６０が回動し、この回動動作に伴い光学装置５２０が図３に矢印Ｎで示す方向に沿って位置調整用貫通孔７１８（ピン２８）の回りに回動する。また、図３に矢印Ｍで示す方向と反対の方向に沿って操作部材７７０をピン２４の回りに回動操作すると、この回動操作方向と同一の方向に回動中心部７６０が回動し、この回動動作に伴い光学装置５２０が図３に矢印Ｎで示す方向と反対の方向に沿って位置調整用貫通孔７１８（ピン２８）の回りに回動する。
【００５１】
このようにして回動操作を行った後、スクリーン上に投影される調整用画像に基づいて像面倒れ量（この場合には横方向の像面倒れ量）を測定する。像面倒れ量が基準値以下にならない場合には、像面倒れ量が基準値以下になるまで、光学装置５２０の位置調整を繰り返す（図４のＹＥＳ）。そして、像面倒れ量が基準値以下になると、光学装置５２０の位置調整が終了する（図４のＮＯ）。
【００５２】
３．光学装置の固定工程
その後、取付用貫通孔７１２，７１６にねじ７２２，７２６を堅くねじ締めして、光学装置取付部材７１０を光学部品取付用筐体１０に強固に固定する（図４のステップＳ３）。
【００５３】
以上説明した実施形態１に係る光学装置の取付方法によれば、光学装置５２０を光学部品取付用筐体１０の取付面１２上に保持した後、さらに光学装置５２０を光学部品取付用筐体１０の取付面１２内で回動させて位置調整した後に、光学装置５２０を光学部品取付用筐体１０に取り付けることができるため、光学装置５２０及び光学部品取付用筐体１０における寸法上のばらつきを吸収することができる。その結果、投写レンズ６００、光学装置５２０、又は光学部品取付用筐体１０の寸法ばらつきなどに起因して発生する像面倒れを抑制して結像品質を向上させることができるようになる。
また、実施形態１に係る光学装置の取付方法によれば、光学装置５２０及び光学部品取付用筐体１０における寸法上のばらつきを吸収することができるため、これら光学装置５２０及び光学部品取付用筐体１０の寸法精度を緩和することができ、製造コストの低廉化を図ることもできるようになる。
このため、実施形態１に係る光学装置の取付方法は、製造コストを高くすることなく結像品質を向上させることができる光学装置の取付方法となる。
【００５４】
また、実施形態１に係る光学装置の取付方法においては、光学装置５２０を取り付ける光学部品取付用筐体１０には、予め照明装置１００、色分離光学系２００、リレー光学系３００、投写レンズ６００などの光学装置５２０以外の光学部品が取り付けられている状態で、光学装置５２０を位置調整している。これにより、プロジェクタ実機において像面倒れを直接抑制することができ、プロジェクタ実機における良好な結像品質向上効果が得られる。
【００５５】
また、実施形態１に係る光学装置の取付方法においては、光学装置５２０の位置調整工程は、光学装置５２０と光学部品取付用筐体１０との間に位置調整装置７００を介在させ、この位置調整装置７００を用いて光学装置５２０を取付面１２内で回動させることにより光学装置５２０の位置調整を行うため、光学装置５２０の位置調整を容易に、かつ、確実に行うことができるようになる。
【００５６】
実施形態１に係る位置調整装置７００においては、位置調整用貫通孔７１４は長孔である。これにより、光学装置５２０の位置調整を行う際に位置調整部材７５０による位置調整を円滑に行うことができるようになる。
【００５７】
また、実施形態１に係る位置調整装置７００においては、操作部材７７０には、回動中心部７６０を中心とする円周の一部に沿う長孔７７２が設けられ、長孔７７２に挿通する位置調整部材抜け止め用のビス７７６が位置調整部材７５０の使用状態において光学部品取付用筐体１０に螺着されるよう構成されている。これにより、光学装置５２０の位置調整時又は位置調整後に光学部品取付用筐体１０から位置調整部材７５０が離脱してしまうのを容易に防止できるようになる。
【００５８】
また、実施形態１に係る位置調整装置７００においては、操作部材７７０の端縁には、回動中心部７６０を中心とする円周の一部に沿うギヤ部７７４が設けられている。これにより、光学装置５２０の位置調整を円滑に行うことができる。この場合、ギヤ部７７４に減速機構を介してモータ等の駆動装置を連結することにより、スクリーン上に投影される調整用画像を撮像素子で撮影し、この撮像素子による撮影結果に基づいてモータ等の駆動装置を駆動させることにより、光学装置５２０の自動位置調整を可能にすることもできる。
なお、光学装置取付用筐体１０には、位置調整部材７５０のギヤ部７７４と係合するためのストッパ１６が設けられている。また、位置調整部材７５０には、基準マーク７７８が設けられている。
【００５９】
実施形態１に係るプロジェクタ１は、上記した実施形態１に係る光学装置の取付方法によって光学部品取付用筐体１０に精度良く取り付けられた光学装置５２０を備えているため、像面倒れの抑制された結像品質の向上したプロジェクタとなる。また、実施形態１に係るプロジェクタ１は、寸法精度の緩和された光学装置５２０及び光学部品取付用筐体１０を用いて組み立てられているため、製造コストの低廉化を図ることのできるプロジェクタとなる。
【００６０】
〔実施形態２〕
次に、実施形態２に係るプロジェクタ、投写レンズの取付方法及びこれに用いる位置調整装置について、図１及び図５〜図７を用いて説明する。図５及び図６は、実施形態２に係る投写レンズの取付方法を説明するために示す模式図である。図７は、実施形態２に係る投写レンズの取付方法を説明するために示すフローチャートである。
【００６１】
ここで、実施形態２に係るプロジェクタ（図示せず。）は、実施形態１に係るプロジェクタ１（図１参照。）と同様の光学要素を備えているため、詳細な説明は省略する。また、実施形態２に係るプロジェクタにおける光学要素（光学装置、投写レンズ等）を説明する際には、図１を適宜参照しながら説明することとする。
【００６２】
なお、実施形態２に係る投写レンズの取付方法における光学装置５２０の組み立ては、実施形態１の場合と同様に、図５及び図６では簡略化してあるが、図１に示したクロスダイクロイックプリズム５００の各光入射面に対して液晶装置４００Ｒ，４００Ｇ，４００Ｂを取り付けることにより行われる。その際、専用の照明装置及び投写レンズを備えたフォーカス・アライメント装置を用いて、フォーカス調整及びアライメント調整を行いながら液晶装置４００Ｒ，４００Ｇ，４００Ｂを取り付けている。これにより、クロスダイクロイックプリズム５００の各光入射面に対して各液晶装置４００Ｒ，４００Ｇ，４００Ｂを精度良く取り付けることができる。
ここで、必要に応じて、液晶装置４００Ｒ，４００Ｇ，４００Ｂ以外の光学要素をクロスダイクロイックプリズム５００の各光入射面に取り付けても良い。そのような光学要素の例としては、入射側偏光板９１８Ｒ，９１８Ｇ，９１８Ｂ、射出側偏光板９２０Ｒ，９２０Ｇ，９２０Ｂの他、視野角補償板、位相差版などが挙げられる。
光学装置５２０や投写レンズ６００等を取り付けるための光学部品取付用筐体１０には、投写レンズ６００を取り付けるにあたり、予め照明装置１００、色分離光学系２００、リレー光学系３００及び投写レンズ６００が取り付けられている。
【００６３】
また、投写レンズ６００の各レンズは、図５及び図６に示す投写レンズ取付部材８１０を有するレンズ固定部材としての鏡筒６１０内に保持固定されているものとする。また、投写レンズ取付部材８１０には、レンズ光軸と直角な方向に開口する位置調整用貫通孔（図示せず。）及び取付用貫通孔（図示せず。）が設けられている。
【００６４】
実施形態２に係る投写レンズの取付方法は、光学部品取付用筐体１０に取り付ける光学要素が、光学装置５２０ではなく投写レンズ６００である点で、実施形態１に係る光学装置の取付方法とは大きく異なっている。
また、実施形態１に係る光学装置の取付方法においては、光学部品取付用筐体１０に光学装置５２０を位置調整して取り付ける際に、位置調整装置７００を用いているのに対して、実施形態２に係る投写レンズの取付方法においては、光学部品取付用筐体１０に投写レンズ６００を位置調整して取り付ける際に、投写レンズ６００における横方向の位置調整をするための位置調整装置８００Ａ及び投写レンズ６００における縦方向の位置調整をするための位置調整装置８００Ｂを用いている点で異なっている。
【００６５】
実施形態２に係る位置調整装置８００Ａは、図５に示すように、投写レンズ６００に取り付けられる投写レンズ取付部材８１０Ａと、この投写レンズ取付部材８１０Ａと光学部品取付用筐体１０との間に介在させる位置調整部材８５０Ａとを有している。
投写レンズ取付部材８１０Ａは、この投写レンズ取付部材８１０Ａを光学部品取付用筐体１０に取り付けるための取付用貫通孔（図示せず。）及び投写レンズ６００を位置調整するための位置調整用貫通孔（図示せず。）を有している。
位置調整部材８５０Ａは、偏心ピン８６４Ａを有する回動中心部８６０Ａ及びこの回動中心部８６０Ａにアーム８８０Ａを介して連接する操作部材８７０Ａを有している。
【００６６】
また、実施形態２に係る位置調整装置８００Ｂは、図６に示すように、投写レンズ６００に取り付けられる投写レンズ取付部材８１０Ｂと、この投写レンズ取付部材８１０Ｂと光学部品取付用筐体１０との間に介在させる位置調整部材８５０Ｂとを有している。
投写レンズ取付部材８１０Ｂは、この投写レンズ取付部材８１０Ｂを光学部品取付用筐体１０に取り付けるための取付用貫通孔（図示せず。）及び投写レンズ６００を位置調整するための位置調整用貫通孔（図示せず。）を有している。
位置調整部材８５０Ｂは、偏心ピン８６４Ｂを有する回動中心部８６０Ｂ及びこの回動中心部８６０Ｂにアーム８８０Ｂを介して連接する操作部材８７０Ｂを有している。
【００６７】
このため、実施形態２に係る位置調整装置８００Ａ，８００Ｂによれば、投写レンズ取付部材８１０Ａ，８１０Ｂの位置調整用貫通孔及び位置調整部材８５０Ａ，８５０Ｂを用いて光学部品取付用筐体１０に対する投写レンズ６００の位置調整を行うことができるため、投写レンズ６００を光学部品取付用筐体１０に保持した後、光学装置５２０を回動させて位置調整することが容易にできるようになり、この投写レンズ６００及び光学部品取付用筐体１０における寸法上のばらつきを容易に吸収することができるようになる。
また、実施形態２に係る位置調整装置８００Ａ，８００Ｂによれば、取付用貫通孔を用いて光学部品取付用筐体１０に対する投写レンズ６００の取り付けを行うことができるようになるため、結像品質の向上したプロジェクタを安定して製造することができるようになる。
【００６８】
実施形態２に係る投写レンズの取付方法は、図７に示すように、「投写レンズの保持工程」、「投写レンズの位置調整工程（その１）」、「投写レンズの位置調整工程（その２）」及び「投写レンズの固定工程」が順次実施されるため、これらの各工程を順次説明する。
【００６９】
１．投写レンズの保持工程
まず、光学部品取付用筐体１０に設けられたピン（図示せず。）に位置調整部材８５０Ａのピン孔８６２Ａを嵌合させる。その後、投写レンズ取付部材８１０Ａの位置調整用貫通孔に位置調整部材８５０Ａの偏心ピン８６４Ａを挿通させる。なお、位置調整用貫通孔は長孔である。
そして、投写レンズ取付部材８１０Ａに設けられた貫通孔のうち取付用貫通孔（図示せず。）の中心軸を光学部品取付用筐体１０に設けられたねじ孔（図示せず。）に凡そ合わせた状態でねじ（図示せず。）により軽くねじ締めする。
これによって、投写レンズ取付部材８１０Ａと光学部品取付用筐体１０との間に位置調整部材８５０Ａを介在させた状態で、光学部品取付用筐体１０に投写レンズ６００が保持される（図７のステップＳ１）。
【００７０】
２．投写レンズの位置調整工程（その１）
次に、投写レンズ６００の位置調整を行う。実施形態２に係る投写レンズの取付方法においては、始めに投写レンズ６００における横方向の位置調整から行う。
まず、プロジェクタの電源を入れ、照明装置１００からの光を液晶装置４００Ｒ，４００Ｇ，４００Ｂに照射するとともに、この液晶装置４００Ｒ，４００Ｇ，４００Ｂにより形成された調整用画像を投写レンズ６００でスクリーン上に投影する。
そして、図５に示すように、横方向用の位置調整部材８５０Ａを用いて、光学装置５２０の光射出面と直角な面（クロスダイクロイックプリズム５００の上方端面と平行な面）内で回動させて投写レンズ６００の横方向の位置調整を実行する（図７のステップＳ２）。回動調整量としては、例えば、±３μｍ〜±３０μｍ程度である。
【００７１】
この場合、図５に矢印Ｐ1で示す方向に沿って操作部材８７０Ａをピン（図示せず。）の回りに回動操作すると、この回動操作方向と同一の方向に回動中心部８６０Ａが回動し、この回動動作に伴い投写レンズ６００が図５に矢印Ｑ1で示す方向に沿って位置調整用貫通孔（図示せず。）の回りに回動する。また、図５に矢印Ｐ1で示す方向と反対の方向に沿って操作部材８７０Ａをピン（図示せず。）の回りに回動操作すると、この回動操作方向と同一の方向に回動中心部８６０Ａが回動し、この回動動作に伴い投写レンズ６００が図５に矢印Ｑ1で示す方向と反対の方向に沿って位置調整用貫通孔（図示せず。）の回りに回動する。
【００７２】
このようにして回動操作を行った後、スクリーン上に投影される調整用画像に基づいて横方向の像面倒れ量を測定する。横方向の像面倒れ量が基準値以下にならない場合には、横方向の像面倒れ量が基準値以下になるまで、投写レンズ６００の位置調整を繰り返す（図７のＳ２のＮＯ）。そして、横方向の像面倒れ量が基準値以下になると、投写レンズ６００における横方向の位置調整が終了する（図７のＳ２のＹＥＳ）。
【００７３】
３．投写レンズの位置調整工程（その２）
次に、投写レンズ６００における縦方向の位置調整を行う。
図６に示すように、縦方向用の位置調整部材８５０Ｂを用いて、光学装置５２０の光射出面と直角な面（クロスダイクロイックプリズム５００におけるＲ光又はＢ光の光入射面と平行な面）内で回動させて投写レンズ６００の縦方向の位置調整を実行する（図７のステップＳ３）。回動調整量としては、例えば、±３μｍ〜±３０μｍ程度である。
【００７４】
この場合、図６に矢印Ｐ2で示す方向に沿って操作部材８７０Ｂをピン（図示せず。）の回りに回動操作すると、この回動操作方向と同一の方向に回動中心部８６０Ｂが回動し、この回動動作に伴い投写レンズ６００が図６に矢印Ｑ2で示す方向に沿って位置調整用貫通孔（図示せず。）の回りに回動する。また、図６に矢印Ｐ2で示す方向と反対の方向に沿って操作部材８７０Ｂをピン（図示せず。）の回りに回動操作すると、この回動操作方向と同一の方向に回動中心部８６０Ｂが回動し、この回動動作に伴い投写レンズ６００が図６に矢印Ｑ2で示す方向と反対の方向に沿って位置調整用貫通孔（図示せず。）の回りに回動する。
【００７５】
このようにして回動操作を行った後、スクリーン上に投影される調整用画像に基づいて縦方向の像面倒れ量を測定する。縦方向の像面倒れ量が基準値以下にならない場合には、縦方向の像面倒れ量が基準値以下になるまで、投写レンズ６００の位置調整を繰り返す（図７のＳ３のＮＯ）。そして、縦方向の像面倒れ量が基準値以下になると、投写レンズ６００における縦方向の位置調整が終了する（図７のＳ３のＹＥＳ）。
【００７６】
４．投写レンズの固定工程
その後、投写レンズ取付部材８１０Ａ，８１０Ｂの取付用貫通孔（図示せず。）にねじ（図示せず。）を堅くねじ締めして、投写レンズ取付部材８１０Ａ，８１０Ｂを光学部品取付用筐体１０に強固に固定する（図７のステップＳ４）。
【００７７】
以上説明した実施形態２に係る投写レンズの取付方法によれば、投写レンズ６００を光学部品取付用筐体１０に保持した後、さらに投写レンズ６００を光学装置５２０の光射出面と直角な２つの面内で回動させて位置調整した後に、投写レンズを光学部品取付用筐体に取り付けることができるため、その２つの面内においては投写レンズ６００及び光学部品取付用筐体１０における寸法上のばらつきを吸収することができる。その結果、投写レンズ６００、光学装置５２０、又は光学部品取付用筐体１０の寸法ばらつきなどに起因して発生する像面倒れを抑制して結像品質を向上させることができるようになる。
また、実施形態２に係る投写レンズの取付方法によれば、その２つの面内においては投写レンズ６００及び光学部品取付用筐体１０における寸法上のばらつきを吸収することができるため、これら投写レンズ６００及び光学部品取付用筐体１０の寸法精度を緩和することができ、製造コストの低廉化を図ることもできるようになる。
このため、実施形態２に係る投写レンズの取付方法は、製造コストを高くすることなく結像品質を向上させることができる投写レンズの取付方法となる。
【００７８】
また、実施形態２に係る投写レンズの取付方法においては、投写レンズ６００を取り付ける光学部品取付用筐体１０には、予め照明装置１００、色分離光学系２００、リレー光学系３００、光学装置５２０などの投写レンズ６００以外の光学部品が取り付けられている状態で、投写レンズ６００を位置調整している。これにより、プロジェクタ実機において像面倒れを直接抑制することができ、プロジェクタ実機における良好な結像品質向上効果が得られる。
【００７９】
また、実施形態２に係る投写レンズの取付方法においては、投写レンズ６００の位置調整工程は、投写レンズ６００と光学部品取付用筐体１０との間に横方向用の位置調整装置８００Ａ及び縦方向用の位置調整装置８００Ｂを介在させ、これら２つの位置調整装置８００Ａ，８００Ｂを用いて投写レンズ６００を回動させることにより、光学装置５２０の光射出面と直角な２つの面内で投写レンズ６００の位置調整を行うため、投写レンズ６００の位置調整を容易に、かつ、確実に行うことができるようになる。また、投写レンズ６００の位置調整を光学装置５２０の光射出面と直角な２つの面内で行うことができることから、結像品質をより一層向上させることができるという効果もある。
【００８０】
実施形態２に係る位置調整装置８００Ａ，８００Ｂにおいては、操作部材８７０Ａ，８７０Ｂには、回動中心部８６０Ａ，８６０Ｂを中心とする円周の一部に沿う長孔８７２Ａ，８７２Ｂが設けられ、長孔８７２Ａ，８７２Ｂに挿通する位置調整部材抜け止め用のビス（図示せず。）が位置調整部材８５０Ａ，８５０Ｂの使用状態において光学部品取付用筐体１０に螺着されるよう構成されている。これにより、投写レンズ６００の位置調整時又は位置調整後に光学部品取付用筐体１０から位置調整部材８５０Ａ，８５０Ｂが離脱してしまうのを容易に防止できるようになる。
【００８１】
また、実施形態２に係る位置調整装置８００Ａ，８００Ｂにおいては、操作部材８７０Ａ，８７０Ｂの端縁には、回動中心部８６０Ａ，８６０Ｂを中心とする円周の一部に沿うギヤ部８７４Ａ，８７４Ｂが設けられている。これにより、投写レンズ６００の位置調整を円滑に行うことができるようになる。この場合、ギヤ部８７４Ａ，８７４Ｂに減速機構を介してモータ等の駆動装置を連結することにより、スクリーン上に投影される調整用画像を撮像素子で撮影し、この撮影結果に基づいてモータ等の駆動装置を駆動させることにより、投写レンズ６００の自動位置調整を可能にすることもできる。
【００８２】
実施形態２に係るプロジェクタ（図示せず。）は、上記した実施形態２に係る投写レンズの取付方法によって光学部品取付用筐体１０に精度良く取り付けられた投写レンズ６００を備えているため、像面倒れの抑制された結像品質の向上したプロジェクタとなる。また、実施形態２に係るプロジェクタは、寸法精度の緩和された投写レンズ６００及び光学部品取付用筐体１０を用いて組み立てられているため、製造コストの低廉化を図ることのできるプロジェクタとなる。
【００８３】
〔実施形態３〕
次に、実施形態３に係る光学装置の取付方法及びこれに用いる位置調整装置について、図８を用いて説明する。図８は、実施形態３に係る光学装置の取付方法を説明するために示す図である。なお、図８において、図２と同一の部材については同一の符号を付し、詳細な説明は省略する。
【００８４】
実施形態３に係る光学装置の取付方法は、実施形態１に係る光学装置の取付方法とは、位置調整装置の構成が異なっている。すなわち、実施形態３に係る位置調整装置７００Ｂは、図８に示すように、光学装置取付部材７１０Ｂ及び位置調整部材７５０に加え、中心固定バー７３０をさらに備えている。
【００８５】
実施形態３に係る光学装置の取付方法は、実施形態１に係る光学装置の取付方法と同様に、「光学装置の保持工程」、「光学装置の位置調整工程」及び「光学装置の固定工程」が順次実施されるため、これらの各工程を順次説明する。
【００８６】
１．光学装置の保持工程
まず、光学部品取付用筐体１０に設けられたピン２４に位置調整部材７５０のピン孔７６２を嵌合させる。そして、光学装置取付部材７１０Ｂの位置調整用貫通孔７１４に位置調整部材７５０の偏心ピン７６４を挿通させ、位置調整用貫通孔７１８に光学部品取付用筐体１０に設けられたピン２８を挿通させる。なお、位置調整用貫通孔７１４，７１８は、図８に示すように、長孔である。
そして、光学装置取付部材の中央部に設けられたピン孔７３８に中心固定バー７３０のピン７３６を嵌合させるとともに、中心固定バー７３０の両端に設けられたピン孔に光学部品取付用筐体１０の取付面１２上に設けられたピン３２，３４を嵌合させる。
その後、光学装置取付部材７１０に設けられた貫通孔のうち取付用貫通孔７１２，７１４の中心軸を光学部品取付用筐体１０に設けられたねじ孔２２，２６（ねじ孔２６は図示せず。）に凡そ合わせた状態でねじ７２２，７２６により軽くねじ締めする。
これによって、光学装置取付部材７１０と光学部品取付用筐体１０との間に位置調整部材７５０を介在させた状態で、光学部品取付用筐体１０の取付面１２上に光学装置５２０が保持される。
【００８７】
２．光学装置の位置調整工程
次に、プロジェクタの電源を入れ、照明装置１００からの光を液晶装置４００Ｒ，４００Ｇ，４００Ｂに照射するとともに、この液晶装置４００Ｒ，４００Ｇ，４００Ｂにより形成された調整用画像を投写レンズ６００でスクリーン上に投影する。
そして、実施形態１の場合と同様に、位置調整部材７５０を用いて、光学部品取付用筐体１０の取付面１２内で光学装置５２０を回動させて光学装置５２０の位置調整を実行する。回動調整量としては、例えば、±３μｍ〜±３０μｍ程度である。
【００８８】
この場合、操作部材７７０をピン２４の回りに回動操作すると、操作部材７７０の回動操作方向と同一の方向に回動中心部７６０が回動し、この回動動作に伴い光学装置５２０がピン７３６（ピン孔７３８）の中心軸を回転軸として回動する。
【００８９】
このようにして回動操作を行った後、スクリーン上に投影される調整用画像に基づいて像面倒れ量（この場合には横方向の像面倒れ量）を測定する。像面倒れ量が基準値以下にならない場合には、像面倒れ量が基準値以下になるまで、光学装置５２０の位置調整を繰り返す。そして、像面倒れ量が基準値以下になると、光学装置５２０の位置調整が終了する。
【００９０】
３．光学装置の固定工程
その後、取付用貫通孔７１２，７１６にねじ７２２，７２６を堅くねじ締めして、光学装置取付部材７１０Ｂを光学部品取付用筐体１０に強固に固定する。
【００９１】
なお、光学装置５２０を位置調整するために用いた中心固定バー７３０は、光学部品取付用筐体１０にこのまま取り付けていても良いし、これら一連の工程が終了した後で光学部品取付用筐体１０から取り外しても良い。
【００９２】
以上説明した実施形態３に係る光学装置の取付方法によれば、実施形態１に係る光学装置の取付方法と同様に、光学装置５２０を光学部品取付用筐体１０の取付面１２上に保持した後、さらに光学装置５２０を光学部品取付用筐体１０の取付面１２内で回動させて位置調整した後に、光学装置５２０を光学部品取付用筐体１０に取り付けることができるため、光学装置５２０及び光学部品取付用筐体１０における寸法上のばらつきを吸収することができる。その結果、投写レンズ６００、光学装置５２０、又は光学部品取付用筐体１０の寸法ばらつきなどに起因して発生する像面倒れを抑制して結像品質を向上させることができるようになる。
また、実施形態３に係る光学装置の取付方法によれば、光学装置５２０及び光学部品取付用筐体１０における寸法上のばらつきを吸収することができるため、これら光学装置５２０及び光学部品取付用筐体１０の寸法精度を緩和することができ、製造コストの低廉化を図ることもできるようになる。
このため、実施形態３に係る光学装置の取付方法は、製造コストを高くすることなく結像品質を向上させることができる光学装置の取付方法となる。
【００９３】
また、実施形態３に係る光学装置の取付方法においては、中心固定バー７３０のピン７３６（光学装置取付部材７１０Ｂのピン孔７３８）の中心軸を回転軸として操作部材７７０を回動操作することにより、光学装置５２０の位置調整を行っている。このため、この回動操作に伴って光学装置５２０の中心位置が動かなくなるため、光学装置５２０の位置調整に起因する液晶装置４００Ｒ，４００Ｇ，４００Ｂ（図示せず。）の変位を小さくすることができ、実施形態１に係る光学装置の取付方法と比較して、さらに優れた光学装置の取付方法となる。
【００９４】
以上、本発明の光学装置の取付方法、投写レンズの取付方法、位置調整装置及びプロジェクタについて、上記の各実施形態に基づいて説明したが、本発明は上記の各実施形態に限られるものではなく、その要旨を逸脱しない範囲において種々の態様において実施することが可能であり、例えば次のような変形も可能である。
【００９５】
（１）上記各実施形態においては、光学装置５２０又は投写レンズ６００を光学部品取付用筐体１０に保持又は固定するための手段として、ピン及びピン孔を多数用いているが、それらのピンとピン孔との関係を逆にしてもよいことはもちろんである。ピンとピン孔との関係を逆に変更することができる箇所としては、実施形態１の場合には、例えば、光学部品取付用筐体１０のピン２４と回動中心部７６０のピン孔７６２である。また、実施形態３の場合には、同じくピン２４とピン孔７６２、中心固定バー７２０のピン７３６と光学装置取付部材７１０Ｂのピン孔７３８、光学部品取付用筐体１０のピン３２と中心固定バー７３０のピン孔７３２、光学部品取付用筐体１０のピン３４と中心固定バー７３０のピン孔７３４などである。これらにおいて、ピンとピン孔との関係を逆に変更することは容易である。
また、実施形態１及び３の場合には、偏心ピン７６４と位置調整用貫通孔７１４とにおいて、ピンとピン孔との関係を変更することも可能である。
【００９６】
（２）上記実施形態２に係る位置調整装置８００Ａ，８００Ｂは、投写レンズ６００における横方向の位置調整をするために用いる投写レンズ取付部材８１０Ａと投写レンズ６００における縦方向の位置調整をするために用いる投写レンズ取付部材８１０Ｂとは別体として構成されているが、本発明はこれに限られず、投写レンズ取付部材８１０Ａと投写レンズ取付部材８１０Ｂとが一体化されていてもよい。
【００９７】
（３）上記実施形態２に係る投写レンズの取付方法は、投写レンズの位置調整工程においては、投写レンズ６００における横方向の位置調整を行った後で縦方向の位置調整を行う場合について説明したが、本発明はこれに限定されず、投写レンズ６００における縦方向の位置調整を行った後で横方向の位置調整を行ってもよい。
【００９８】
（４）上記実施形態２に係る投写レンズの取付方法においては、投写レンズ６００の位置調整工程において、２つの位置調整装置８００Ａ，８００Ｂを用いることにより、投写レンズ６００における縦横両方向の位置調整を行う場合について説明したが、本発明はこれに限られない。投写レンズにおける縦方向又は横方向のいずれか一方向の位置調整のみが必要である場合には、その一方向の位置調整を行って、他方向の位置調整については省略することも可能である。
【００９９】
（５）上記各実施形態に係る位置調整装置７００，７００Ｂ，８００Ａ，８００Ｂにおいては、上記した位置調整部材７５０，８５０Ａ，８５０Ｂを用いて光学装置５２０又は投写レンズ６００の位置調整を行ったが、本発明はこれに限られず、光学装置５２０又は投射レンズ６００を光学部品取付用筐体１０の取付面１２内などで位置調整するような他の位置調整装置を用いて光学装置５２０又は投写レンズ６００の位置調整を行うことも可能である。
【図面の簡単な説明】
【０１００】
【図１】実施形態１に係るプロジェクタの光学系を示す図。
【図２】実施形態１に係る光学装置の取付方法を説明するために示す図。
【図３】実施形態１に係る光学装置の取付方法を説明するために示す模式図。
【図４】実施形態１に係る光学装置の取付方法を説明するために示すフローチャート。
【図５】実施形態２に係る投写レンズの取付方法を説明するために示す模式図。
【図６】実施形態２に係る投写レンズの取付方法を説明するために示す模式図。
【図７】実施形態２に係る投写レンズの取付方法を説明するために示すフローチャート。
【図８】実施形態３に係る光学装置の取付方法を説明するために示す図。
【符号の説明】
【０１０１】
１…プロジェクタ、１０…光学部品取付用筐体、１２…取付面、１４，２２，２６…ねじ孔、１６…ストッパ、２４，２８，３２，３４…ピン、１００…照明装置、１１０…光源ランプ、１１２…発光管、１１４…楕円面リフレクタ、１１６…平行化レンズ、１２０…第１レンズアレイ、１３０…第２レンズアレイ、１４０…偏光変換素子、１５０…重畳レンズ、２００…色分離光学系、３００…リレー光学系、４００Ｒ，４００Ｇ，４００Ｂ…液晶装置、５００…クロスダイクロイックプリズム、５２０…光学装置、６００…投写レンズ、６１０…鏡筒、７００，７００Ｂ，８００Ａ，８００Ｂ…位置調整装置、７１０，７１０Ｂ…光学装置取付部材、７１２，７１６…取付用貫通孔、７１４，７１８，７１８Ｂ…位置調整用貫通孔、７２２，７２６…ねじ、７３０…中心固定バー、７３２，７３４，７６２，８６２Ａ，８６２Ｂ…ピン孔、７５０，８５０Ａ，８５０Ｂ…位置調整部材、７６０，８６０Ａ，８６０Ｂ…回動中心部、７６４，８６４Ａ，８６４Ｂ…偏心ピン、７７０，８７０Ａ，８７０Ｂ…操作部材、７７２，８７２Ａ，８７２Ｂ…長孔、７７４，８７４Ａ，８７４Ｂ…ギヤ部、７７６…位置調整部材抜け止め用のビス、７７８…基準マーク、７８０，８８０Ａ，８８０Ｂ…アーム
【図１】
2005128489.tif 000003
【図２】
2005128489.tif 000004
【図３】
2005128489.tif 000005
【図４】
2005128489.tif 000006
【図５】
2005128489.tif 000007
【図６】
2005128489.tif 000008
【図７】
2005128489.tif 000009
【図８】
2005128489.tif 000010